(57)【要約】      （修正有）【課題】閂止めの意匠性を高め、デザインとして活かすことができるネクタイを提供する。【解決手段】ネクタイの閂止部は、一端が２重部分２１と他方の折り返し部２２ｂとの間で２重部分２１に固定されるとともに、当該２重部分２１を貫通してネクタイの裏面側に露出する閂止糸５１の他端が他方の折り返し部２２ｂと２重部分２１の間で他方の折り返し部２２ｂに固定され、両端がそれぞれ２重部分２１に固定された色彩の異なる複数の前記装飾糸５２、５３が、閂止糸５１のネクタイ裏面側に露出した部分に巻きつけられる。【選択図】図６
0003172258.tif 000002
【実用新案登録請求の範囲】
【請求項１】
縦長に縫合されたネクタイ表地の両側長辺を裏面側に折り返して、ネクタイの裏面中央付近で一方側の折り返し部を他方側の折り返し部に重ね合わせて、これにより形成された重ね合わせ部を前記ネクタイの大剣部裏側から小剣部裏側まで縫合し、当該縫合の端部にそれぞれ閂止部を形成するネクタイにおいて、
前記閂止部は、両端がそれぞれネクタイ内部に固定されるとともに、一端側が前記一方の折り返し部を貫通し、他端側が前記他方の折り返し部を貫通して、その中間部がネクタイ裏面側に露出する閂止糸と、
両端がそれぞれネクタイ内部に固定され、その中間部がネクタイ裏面側に露出して前記閂止糸の前記ネクタイ裏面側に露出した部分に巻きつけられる色彩の異なる複数の装飾糸とを備えることを特徴とするネクタイ。
【請求項２】
前記ネクタイは、縦長に縫合された前記ネクタイ表地に芯地を重ね合わせ、当該芯地を包むように前記ネクタイ表地の両側長辺を裏面側へ折り返し、それによって形成される前記一方側の折り返し部をさらに内側に折り返して２重部分を形成し、他方側の折り返し部の上に当該２重部分を前記裏面の中央付近において重ね合わせて大剣部裏側から小剣部裏側まで縫合し、前記大剣部裏側及び前記小剣部裏側の所定位置において閂止部を形成するものであって、
前記閂止部は、
一端が前記２重部分と前記他方の折り返し部との間で前記２重部分に固定されるとともに、当該２重部分を貫通してネクタイの裏面側に露出する閂止糸が、前記他方の折り返し部から前記芯地を貫通して当該芯地とネクタイの表面側の表地との間を通って、さらに、前記芯地及び前記他方の折り返し部を貫通し、他端が前記他方の折り返し部と前記２重部分の間で前記他方の折り返し部に固定されるとともに、
両端がそれぞれ前記２重部分に固定された色彩の異なる複数の前記装飾糸が、前記閂止糸のネクタイ裏面側に露出した部分に巻きつけられるものであることを特徴とする請求項１に記載のネクタイ。
【請求項３】
前記装飾糸は、前記閂止糸の前記ネクタイ裏面側に露出した部分のほぼ全長に亘って巻きつけられる第１の装飾糸と、前記閂止糸の前記ネクタイ裏面側に露出した部分の中央に前記第１の装飾糸の上から巻きつけられる当該第１の装飾糸とは異なる色彩の第２の装飾糸と含むことを特徴とする請求項１又は請求項２に記載のネクタイ。
【考案の詳細な説明】
【技術分野】
【０００１】
本考案は縦長に縫合されたネクタイ表地の両側長辺を裏面側へ折り返し、それによって形成される一方側の折り返し部をさらに内側に折り返して２重部分を形成し、他方側の折り返し部の上に当該２重部分を前記裏面の中央付近において重ね合わせて大剣部裏側から小剣部裏側まで縫合し、前記大剣部裏側及び前記小剣部裏側の所定位置において閂止めを施して形成するネクタイに関する。
【背景技術】
【０００２】
従来よりネクタイは、縦長に縫合された生地の両側長辺をネクタイの裏面へ折り返し、それによって形成される両側の折返し部をネクタイの裏面中央付近において重ね合わせて形成されている（特許文献１）。ネクタイ裏面の重ね合わされた部分は、大剣部裏側から小剣部裏側まで縫合され、その両端に閂止めと呼ばれる縫製がなされる。この閂止めは大剣部裏側から小剣部裏側までの縫合部の端のほつれを防止しつつ、ネクタイの形状を保持するための芯地を固定している。
【先行技術文献】
【特許文献】
【０００３】
【特許文献１】特開２０００−４５１１５号公報
【考案の概要】
【考案が解決しようとする課題】
【０００４】
ところで、閂止めはネクタイ裏面に形成されることから、ネクタイの表地と近い色の単色の糸で、極力目立たないように縫製されており、デザインとしては活かされていなかった。
【０００５】
本考案は、閂止めの意匠性を高め、デザインとして活かすことができるネクタイを提供することを目的とする。
【課題を解決するための手段】
【０００６】
本考案の目的を達成するために請求項１に記載のネクタイは、縦長に縫合されたネクタイ表地の両側長辺を裏面側に折り返して、ネクタイの裏面中央付近で一方側の折り返し部を他方側の折り返し部に重ね合わせて、当該重ね合わせ部を大剣部裏側から小剣部裏側まで縫合し、当該縫合の端部にそれぞれ閂止部を形成するネクタイにおいて、前記閂止部は、両端がそれぞれネクタイ内部に固定されるとともに、一端側が前記一方の折り返し部を貫通し、他端側が前記他方の折り返し部を貫通して、その中間部がネクタイ裏面側に露出する閂止糸と、両端がそれぞれネクタイ内部に固定され、中間部がネクタイ裏面側に露出して前記閂止糸のネクタイ裏面側に露出した部分に巻きつけられる色彩の異なる複数の装飾糸とを備えることを特徴としている。
【０００７】
請求項２に記載のネクタイは、前記ネクタイは、縦長に縫合された前記ネクタイ表地に芯地を重ね合わせ、当該芯地を包むように前記ネクタイ表地の両側長辺を裏面側へ折り返し、それによって形成される前記一方側の折り返し部をさらに内側に折り返して２重部分を形成し、他方側の折り返し部の上に当該２重部分を前記裏面の中央付近において重ね合わせて大剣部裏側から小剣部裏側まで縫合し、前記大剣部裏側及び前記小剣部裏側の所定位置において閂止部を形成するものであって、前記閂止部は、一端が前記２重部分と前記他方の折り返し部との間で前記２重部分に固定されるとともに、当該２重部分を貫通してネクタイの裏面側に露出する閂止糸が、前記他方の折り返し部から前記芯地を貫通して当該芯地とネクタイの表面側の表地との間を通って、さらに、前記芯地及び前記他方の折り返し部を貫通し、他端が前記他方の折り返し部と前記２重部分の間で前記他方の折り返し部に固定されるとともに、両端がそれぞれ前記２重部分に固定された色彩の異なる複数の前記装飾糸が、前記閂止糸のネクタイ裏面側に露出した部分に巻きつけられるものであることを特徴としている。
【０００８】
請求項３に記載のネクタイは、前記装飾糸は、前記装飾糸は、前記閂止糸の露出した部分のほぼ全長に亘って巻きつけられる第１の装飾糸と、前記閂止糸の露出した部分の中央に前記第１の装飾糸の上から巻きつけられる当該第１の装飾糸とは異なる色彩の第２の装飾糸と含むことを特徴としている。
【考案の効果】
【０００９】
請求項１に記載のネクタイによると、色彩の異なる複数の前記装飾糸が、前記閂止糸のネクタイ裏面側に露出した部分に巻きつけられるので、閂止部の意匠性を高めることができる。
【００１０】
請求項２に記載のネクタイによると、閂止糸が芯地にまで貫通して、当該芯地とネクタイの表面側の表地との間を通って、さらに、前記芯地及び前記他方の折り返し部を貫通し、他端が前記他方の折り返し部と前記２重部分の間で前記他方の折り返し部に固定されるので、ネクタイ表地と芯地とが互いに固定されるので、閂止部の意匠性を向上させつつ、ネクタイの型崩れを防止することができる。
【００１１】
請求項３に記載のネクタイによると、閂止糸のネクタイ裏面に露出した部分のほぼ全長に亘って第１の装飾糸が巻きつけられ、閂止糸の露出した部分の中央に第１の装飾糸の上から第２の装飾糸が巻きつけられるので、これらにより構成される閂止部は両側端からそれぞれ所定距離までが第１の装飾糸が露出し、その中央が第２の装飾糸が露出するので、両端に同一の色彩が配置され、中央に別の色彩が配置され、閂止部の意匠性を高めることができる。
【図面の簡単な説明】
【００１２】
【図１】ネクタイを構成する各生地をそれぞれ説明する分解図。
【図２】（Ａ）は、ネクタイ表地、裏地、及び芯地を重ね合わせた状態を説明する図、（Ｂ）は、ネクタイ表地の一方の長辺の端縁を折り返して２重部分を形成する状態を説明する図。
【図３】（Ｃ）は、ネクタイ表地の一方の長辺を折り返した状態を示す図、（Ｄ）は、ネクタイ表地の他方の長辺を折り返して一方の長辺と重ねた状態を示す図。
【図４】完成したネクタイを裏面側から見た図。
【図５】閂止部の形状を説明する概略断面図。
【図６】図５のＥ部分拡大図。
【考案を実施するための形態】
【００１３】
以下、本考案のネクタイ１の最良の実施形態について、各図を参照しつつ説明する。ネクタイ１は、図１に示すように、大剣部２ａ、中継ぎ部２ｂ、及び小剣部２ｃに分けられる表地と、大剣部２ａ及び小剣部２ｃの裏側に縫合される裏地３と、ネクタイ１の型崩れを防ぐ芯地４とを、主要な構成として、所定の糸により縫合して形成されている。
【００１４】
具体的には、図２（Ａ）に示すようにまず、大剣部２ａ、中継ぎ部２ｂ、小剣部２ｃに分割されている生地を縫合して縦長のネクタイ表地２を完成させ、このネクタイ表地２に縦長の芯地４を重ね合わせる。そして、図２（Ｂ）に示すように、ネクタイ表地２の一方の長辺の端縁が２重になるように折り返して、２重部分２１を形成する。さらに、図３（Ｃ）（Ｄ）に示すように、ネクタイ表地２が芯地４を包むように、このネクタイ表地２の両側長辺を裏面側へ折り返し、ネクタイ１裏面の両側に折り返し部２２を形成する。そして、この両側の折り返し部２２をネクタイ１裏面の中央付近において２重部分２１が上になるように重ね合わせてネクタイ形状を形成する。そして、図４に示すように、この重ね合わせた部分を大剣部２ａ裏側から小剣部２ｃ裏側まで縫合する。このように縫合した縫合部６の両端は大剣部２ａ裏側及び小剣部２ｃ裏側でそれぞれ閂止部５を形成する。その後、大剣部２ａ裏面にネームタグ７や小剣通し８をそれぞれ縫合して、ネクタイ１を完成させる。
【００１５】
閂止部５は、大剣部２ａ裏側から小剣部２ｃ裏側までネクタイ表地２の長辺を縫合した縫合部６の両端がほつれることを防ぐとともに、芯地４をネクタイ表地２と固定してネクタイ１の型崩れを防止するためのものであって、閂止糸５１と第１の装飾糸５２と第２の装飾により構成されている。閂止糸５１は、一端がネクタイ表地２の一方の折り返し部２２ａに形成された２重部分２１とこの２重部分２１と重なっている他方の折り返し部２２ｂとの間で２重部分２１側に玉結び５５により固定されており、当該２重部分２１を貫通してネクタイ１の裏面側に露出している。そして、この閂止糸５１は、さらに、他方の折り返し部２２ｂから芯地４を貫通して当該芯地４と表地との間を通って、さらに、芯地４及び他方の折り返し部２２ｂを貫通する。そして、閂止糸５１の他端は他方の折り返し部２２ｂと２重部分２１の間で他方の折り返し部２２ｂに玉止め５４により固定される。
【００１６】
また、第１の装飾糸５２は、両端が玉止め５４により芯地４と他方の折り返し部２２ｂとの間で他方の折り返し部２２ｂに固定されており、その中間部は他方の折り返し部２２ｂ及び２重部分２１を貫通して、閂止糸５１のネクタイ１の裏面側に露出した部分のほぼ全域に巻きつけられている。第２の装飾糸５３は、両端が玉止め５４により芯地４と他方の折り返し部２２ｂとの間で他方の折り返し部２２ｂに固定されており、その中間部は他方の折り返し部２２ｂ及び２重部分２１を貫通して、閂止糸５１のネクタイ１の裏面側に露出した部分の中央で第１の装飾糸５２の上に巻きつけられている。第１の装飾糸５２として白色の糸を使用し、第２の装飾糸５３として赤色の糸を使用すると、閂止部５は赤、白、赤の模様が露出することになり、優れたデザインのものとすることができる。
【００１７】
なお、本実施形態においては、第１の装飾糸５２及び第２の装飾糸５３を用いて赤、白、赤の模様を露出させたが、閂止部５の模様は第１の装飾糸５２及び第２の装飾糸５３として使用する糸の色により他の様々な模様のデザインとすることができる。また、装飾糸を３本以上使用することにより、閂止部５を３色以上の模様のデザインとすることもできる。
【００１８】
なお、本考案の実施の形態は上述の形態に限ることなく、本考案の思想の範囲を逸脱しない範囲で適宜変更することができることは云うまでもない。
【産業上の利用可能性】
【００１９】
本考案に係るネクタイ１は、意匠性の優れたネクタイ１として好適に用いることができる。
【符号の説明】
【００２０】
１      ネクタイ
２      ネクタイ表地
５      閂止部
２１    ２重部分
２２    折り返し部分
５１    閂止糸
５２    第１の装飾糸
５３    第２の装飾糸
【図１】
0003172258.tif 000003
【図２】
0003172258.tif 000004
【図３】
0003172258.tif 000005
【図４】
0003172258.tif 000006
【図５】
0003172258.tif 000007
【図６】
0003172258.tif 000008